Podtech/llm-jp-corpus-v4-ja_patent huggingface dataset:
(57)【要約】      （修正有）【課題】溶接管作成の際に管内外に発生するビードを成形圧延するため、切削や研削の様に切屑や砥粒の後処理のない電縫管の溶接ビード成形圧延加工装置を提供する。【解決手段】上部ホルダー１と内部ホルダー３に、第１成形ロール７，８、第２成形ロール９，１０、第３成形ロール１１，１２を設け、成形ロールに対抗するためにシーム部のビード６の反対位置の管内外面を互いに圧する様に内部ホルダー３にバックアップロール６個と、外部ホルダー４にバックアップロール６個を各対になる様に６組を設ける。【選択図】図１
0003166943.tif 000002
【実用新案登録請求の範囲】
【請求項１】
上部ホルダ−（１）と連結バ−（２）を具備する内部ホルダ（３）と下部ホルダ−（４）の各部材を組合わせスクイズロ−ル（５）で発生するシ−ム部のビ−ド（６）を挟む様に上部ホルダ−（１）に外側成形ロ−ル（７）と内部ホルダ−（３）に内側成形ロ−ル（８）を対とする第１成形ロ−ル、上部ホルダ−（１）の外側成形ロ−ル（９）と内部ホルダ−（３）に内側成形ロ−ル（１０）を第２成形ロ−ル，上部ホルダ−（１）の外側成形ロ−ル（１１）と内部ホルダ−（３）に内側成形ロ−ルを第３成形ロ−ル（１２）とする第３成形ロ−ルを設け上記成形ロ−ルに対抗する為にシ−ム部のビ−ド（６）の反対位置の管内外面を互いに圧する様に内部ホルダ−（３）にバックアップロ−ルと下部ホルダ−（４）のバックアップロ−ルが各対になる様に６組を設けた溶接ビ−ド成形圧延加工装置。
【考案の詳細な説明】
【技術分野】
【０００１】本考案は、電縫鋼管作成の際に発生する溶接ビ−ドを成形圧延する装置である。
【背景技術】
【０００２】従来，電縫鋼管作成の際に発生する溶接ビ−ドは造管中の管内のビ−ドをバイトによる切削，管外のビ−ドは砥石による研削でビ−ドを除去している。
【考案の開示】
【考案が解決しようとする課題】
【０００３】これには次の様な欠点がある。
（イ）溶接管作成の際に発生する管内外のビ−ドを切削，研削する場合ビ−ドの処理が生産現場に大きな負担になっている。
（ロ）ビ−ドが切削後管内に残っていると管を定尺切断する際にカッタ−刃先の破損原因となる。
（ハ）管の外面に出来るビ−ドを研削する場合砥粒の発生で粉末となるために環境衛生上問題となる。
（ニ）管の内面に出来るビ−ドを切削する場合バイト刃先の欠けやバイトの折損が発生すると良質の造管が得られない。
【課題を解決するための手段】
【０００４】本考案はスクイズロ−ル（５）によつて発生する内外面のシ−ム部のビ−ド（６）を成形する為に第１成形ロ−ル、第２成形ロ−ル、第３成形ロ−ルを設け、又各成形ロ−ルに対抗する為にシ−ム部ビ−ド（６）の反対位置の管内外面を互いに圧する為に内部ホルダ−（３）にバックアップロ−ルと下部ホルダ−（４）にバックアツプロ−ルが各対になる様に６組を設けるので第１、第２、第３の各ロ−ルが菅内外のビ−ドを徐々に圧接し、その仕上りを管内外面と変わらぬ様にして問題を解決している。
【考案の効果】
【０００５】上述の様に本考案は溶接管内外のビ−ドをバイトによる切削や砥石による研削でなく上部ホルダ−（１）と内部ホルダ−（３）に設けた成形ロ−ルによってビ−ド（６）を成形圧延するため厄介な切屑や砥石による砥粒の発生がないため切削による切屑や砥石による砥粒を取除く作業や装置の必要がないため合理化が可能である。
【考案の実施するための最良の形態】
【０００６】（イ）電縫鋼管の溶接ビ−ド成形圧延の処理に於いて成形後の仕上りの良品は初期ビ−ドの出来具合に大きな影響を受けるためビ−ド形態をよく観察し成形圧延部の位置を決定する。
（ロ）ビ−ドの温度は鋼材の塑成歪後加熱した状態の様に５００度−２００度が最適である。
（ハ）成形圧延部の位置はスクイズロ−ルから２５０ＭＭ−２０００ＭＭが最適である。
（ニ）上述の様に最適の位置に成形圧延部の位置を設定し内部ホルダ−（３）に具備する連結バ−（２）を固定部（１４）に固定する。
【実施例】
【０００７】以下、添付図に従って一実施例を説明する。
前述の様に成形圧延部を最適の位置であるビ−ド（６）の反対側の造管の下に下部ホルダ−（４）とビ−ド（６）側に上部ホルダ−（１）を部材（１３）で固定し内部ホルダ−（３）を造管に挿入して連結バ−（２）を固定部（１４）に固定した後稼働する。
【図面の簡単な説明】
【０００８】
【図１】本考案の溶接ビ−ド成形圧延加工装置の構造を示す斜視図である。
【図２】ビ−ドを第１、第２、第３各ロ−ルで圧延した斜視図である。
【図３】本考案の実施例を示す斜視図である。
【符号の説明】
【０００９】１    上部ホルダ−
２    連結バ−
３    内部ホルダ−
４    下部ホルダ−
５    スクイズロ−ル
６    ビ−ド
７    第１外側成形ロ−ル
８    第１内側成形ロ−ル
９    第２外側成形ロ−ル
１０  第２内側成形ロ−ル
１１  第３外側成形ロ−ル
１２  第３内側成形ロ−ル
１３  上部、下部ホルダ−を固定する部材
１４  連結バ−の固定部
【図１】
0003166943.tif 000003
【図２】
0003166943.tif 000004
【図３】
0003166943.tif 000005
(57)【要約】      （修正有）【課題】複数のストップウオッチをつなげ、複数の学習時間を計る増やせるストップウオッチを提供する。【解決手段】本体の右側の凸凹の嵌め込み部分を、２個目の本体の左側の凸凹の嵌め込み部分に嵌め込み２個目の本体右側の凸凹の嵌め込み部分を３個目の本体の左側の凸凹の嵌め込み部分に嵌め込み、この連続で複数のストップウオッチをつなげることによって、複数の学習時間を計ることができ、複数の教科や分野の学習時間のバランスを考えたり意欲を喚起したりすることに結びつけることができる。【選択図】図２
0003166946.tif 000002
【実用新案登録請求の範囲】
【請求項１】
ストップウオッチの本体外部カバーに凹凸の嵌め込み部分を設け、複数個のストップウオッチをつなげることを特徴とするブロック式増やせるストップウオッチ。
【考案の詳細な説明】
【技術分野】
【０００１】
本考案は、外カバーに嵌め込み部分を設け、つなぎあわせることによって増やせるストップウオッチに関するものである。
【背景技術】
【０００２】
色々な分野、教科の学習時間をストップウオッチで計る場合、１つのもので計っていた。
【考案の概要】
【考案が解決しようとする課題】
【０００３】
一つのストップウオッチで計る場合、各教科や分野に掛けた時間のバランスを意識しづらかった。また、学習者は好きな学習に長時間取り組み、苦手なものに取り組みにくいという傾向がある。学習する教科数、分野数の複数のストップウオッチをつなげて、各々を計ることにより教科、分野毎にどれだけ時間を掛けたかを視角化することにより前述の欠点を解決しようとするものである。
【課題を解決するための手段】
【０００４】
本考案は、ストップウオッチの外カバーに、凹凸のある嵌め込み部分を設け、必要数をつなげることができ、教科、分野毎に学習時間を計ることにより問題点を解決している。
【考案の効果】
【０００５】
学習者は、各教科、分野にいくら時間をかけているか、瞬時に見比べることができるため、今後の対策が立てやすくまた、苦手なものにも取り組む場合の動機づけに役立つ。
【図面の簡単な説明】
【０００６】
【図１】１個のブロック式増やせるストップウオッチ
【図２】３個つなげた場合のブロック式増やせるストップウオッチ
【図３】ブロック式増やせるストップウオッチの裏面
【考案を実施するための形態】
【０００７】
外側カバー部のの左右両側に凸凹の嵌め込みを設け必要に応じそれらを組み合わせ必要数をつなげることが可能となることにより問題点を解決している。
【実施例】
【０００８】
以下、添付図面に従って一実施例を説明する。１は耐久性のプラスチック等適宜素材にて一体化形成され左右に凸凹の嵌め込み部を設けたブロック式増やせるストップウオッチ本体、２は時間を表示する液晶部分であり、３はスタート及びストップボタンであり、４はリセットボタンである。５は教科や分野の表示シールを貼る部分である。
【０００９】
６７はブロック式増やせるストップウオッチを１と合わせて３個つなげて使用している。
【００１０】
本考案の一実施例は、上述の如き構成からなるものであるから、ストップウオッチ本体１を速さを計るストップとしてもちいることは勿論であるが、必要数をつなげ、学習して積み立てた時間を複数例計ることが出来る。
【符号の説明】
【００１１】
１    ストップウオッチ本体
２    時間を表示する液晶部
３    スタートストップボタン
４    リセットボタン
５    科目、分野を表示したシールを貼るスペース
６    右に二個めを継ぎ足したもの
７    右に三個めを継ぎ足したもの
８    ブロック式増やせるストップウオッチの裏面
９    ボタン電池収納部
【図１】
0003166946.tif 000003
【図２】
0003166946.tif 000004
【図３】
0003166946.tif 000005
(57)【要約】      （修正有）【課題】ブラウスの裾のずれ上がり、着崩れを防止し、裾をスカートまたはパンツの中に入れて着用するブラウスを提供する。【解決手段】布帛製ブラウス本体の裾の全周を取り巻く形で、垂直方向に幅広のメリヤス等の伸縮性素材を取り付ける。【選択図】図１
0003166912.tif 000002
【実用新案登録請求の範囲】
【請求項１】
裾をスカートまたはパンツの中に入れて着用するブラウスにおいて、布帛製ブラウス本体の裾の全周を取り巻く形で、メリヤス等の伸縮素材が取り付けられていることを特徴とするブラウス。
【請求項２】
上記ブラウスにおいて、布帛製ブラウス本体の裾の全周を取り巻く形で取りつけられたメリヤス等の伸縮素材の垂直方向の幅が１５センチメートル程度であることを特徴とするブラウス。
【考案の詳細な説明】
【技術分野】
【０００１】  本考案は、裾部分にメリヤス等の伸縮性素材を取り付けた布帛製ブラウスに関するものである。
【背景技術】
【０００２】  ブラウスの裾をスカート、パンツの内側に入れて着用する場合、体の動きによって着崩れを起こし、ブラウスの裾がずり上がりスカートやパンツの外側にはみ出てしまうことがある。特にセーターなどと重ね着をした場合、布帛と編物の摩擦でずり上がったり、着崩れすることが多い。【０００３】  このような裾のずれ上がりの現象を防止するために、従来は裾部にゴム紐を取り付け、または布地に細かいプリーツを施して伸縮性を持たせ、あるいは補助具（ゴム製ストラップ）を用いてブラウスとスカートを繋ぐ等の方法が取られてきた。
【先行技術文献】
【特許文献】
【０００４】
【特許文献１】  特開２００４−５２１１９号公報
【特許文献２】  特開２０１０−１７４４２７号公報
【特許文献３】  実公平４−３５３７６号公報
【特許文献４】  特開２０００−２７０１４号公報
【考案の概要】
【考案が解決しようとする課題】
【０００５】  しかしながら、裾部にゴム紐を取り付ける方法では伸縮部分の幅が狭く、伸縮部分が胴体のもっとも細いウエスト部分にずれて、必ずしも着用者の望む位置に裾部がとどまるとは限らず、ゴム紐の食い込みにより着心地も悪くなる。また、プリーツを施した場合はある程度の伸縮性は得られるが、ずり上がりや着崩れを防止するほどのホールド性は得られない。補助具を用いる場合はブラウスの裾、およびスカートまたはパンツの上部に、上下を繋ぐストラップの金具をそれぞれ付けなければならず、手間がかかる上に装着した場合に異物感があり、薄手の生地の場合には金具が透けて見える場合もある。
【課題を解決するための手段】
【０００６】  本考案は、布帛製ブラウス本体の裾部分にメリヤス等の伸縮性素材を取り付けることを特徴とする。
【考案の効果】
【０００７】  本考案のブラウスは、裾部分に伸縮性を有するメリヤス等の素材を取り付けることにより、腰や尻周りをホールドし、着用した際にずれ上がりが少なく、スカートやパンツの外にブラスの裾が出てこない。特にセーター類と重ね着した場合、布帛と編物の摩擦でずり上がったり、着崩れる事が多いが、それも防止できる。【０００８】  裾の部分は単なるゴムではなく、垂直方向に幅のあるメリヤス等の伸縮性素材を用いることで伸縮の方向性が拡大され、サポート性が増す。
【図面の簡単な説明】
【０００９】
【図１】本考案の実施形態を示した正面図である。
【考案を実施するための形態】
【００１０】  図１は実施形態のブラウスを示したものであり、布帛製ブラウス本体１の裾にメリヤス製裾部２を取り付けたものである。メリヤス製裾部は、使用する素材の伸縮性の強弱にもよるが、十分なサポート性を確保すると同時に着用時の締め付け感を分散させるために、垂直方向の幅を約１５センチメートル程度の幅広なものとする。
【００１１】  この実施形態では、伸縮性があるメリヤス製裾部２が腰や尻周りをホールドし、着用した際にブラウスが容易にずり上がらず、スカートやパンツの外にはみ出にくくなる。特にセーター類と重ね着した場合、布帛と編物の摩擦でずり上がったり、着崩れる事が多いが、それも防止できる。
【００１２】  また、この実施形態のブラウスを、スカートやパンツの外に出して着用する場合には、伸縮性がある裾部が体にフィットし、裾のめくれ上がりやはだけがなく、ファッション性にも優れている。
【符号の説明】
【００１３】  １          布帛製ブラウス本体
２          メリヤス製裾部
【図１】
0003166912.tif 000003
【手続補正書】
【提出日】平成23年1月12日(2011.1.12)
【手続補正１】
【補正対象書類名】実用新案登録請求の範囲
【補正対象項目名】請求項２
【補正方法】変更
【補正の内容】
【請求項２】
上記ブラウスにおいて、布帛製ブラウス本体の裾の全周を取り巻く形で取りつけられたメリヤス等の伸縮素材の垂直方向の幅が１５センチメートル程度であることを特徴とする請求項１記載のブラウス。
(57)【要約】      （修正有）【課題】手腕の上下運動の多い屋内外で、雨天及び水作業時、手首部からの雨、水の進入を防ぎ衣服等を濡らさない防寒防水手袋付ウエットジャンパーを提供する。【解決手段】ウェットジャンパーの袖部２に防水手袋１を一体形成してジャンパーを構成し、手首部からの雨、水の進入を防ぐ。さらに又、ジャンパーの素材としてスポンジを使用し、保温効果を高める。【選択図】図１
0003166913.tif 000002
【実用新案登録請求の範囲】
【考案の詳細な説明】
【技術分野】
【００１】本考案は、ウェットジャンパーを着ての作業中、手首部からの雨、水の進入を防止するウェットジャンパーに関するものである。
【背景技術】
【００２】手袋には、腕の長い防水手袋があるが、腕を上げると雨、水が袖口からの水の進入を防げなかったので使用不向きだった。
【考案の概要】
【考案が解決使用とする課題】
本考案は手腕の上下運動の多い雨天、又は水作業中に手首部からの雨、水の進入を防ぐことを目的とする。
【課題を解決するための手段】
ウエットジャンパー袖部２に防水手袋１を一体形成することにより手首部からの雨、水の進入を防ぐものである。
【考案の効果】
本考案はウエットジャンパーの手首部に防水手袋を一体形成することにより雨、水の進入を防ぎ衣類等を濡らすことがなくなり、且つウエットジャンパーはスポンジ素材の為保温効果も得られる。
【図面の簡単な説明】
【図１】防寒防水ウエットジャンパーを示した平面図である。
【考案を実施する為の形態】
ウエットジャンパーの袖部２に防水手袋１を一体形成したジャンパーで、これを着用し手腕の上下運動の多い雨天時、又は水作業時に手首部からの雨、水の進入を防ぐ。
【符号の説明】１    防水手袋
２    袖部
３    ジッパー
４    帽子（取り外し可能）
【図１】
0003166913.tif 000003
【手続補正書】
【提出日】平成22年12月28日(2010.12.28)
【手続補正２】
【補正対象書類名】実用新案登録請求の範囲
【補正対象項目名】全文
【補正方法】変更
【補正の内容】
【実用新案登録請求の範囲】
【請求項１】
ウェットジャンパーの袖部に防水手袋を一体形成することを特徴とする防寒防水手袋付ウェットジャンパー。
(57)【要約】      （修正有）【課題】歩行に障害を有する人が容易に操作可能で、かつ簡略な構造で、安価に製作できる室内移動用台車を提供する。【解決手段】箱状のフレームと、フレーム下部に取りつけられるキャスターと、フレームの上面に取り付けられる座面を有する。フレームは、パイプ部材と、パイプ部材が嵌入可能なエルボ部材からなる。【選択図】図１
0003166914.tif 000002
【実用新案登録請求の範囲】
【請求項１】
棒状の部材を、ほぼ箱状に組み立ててなるフレームと、前記フレームの下部に取り付けられてなるキャスターと、前記フレームの上面の取り付けられてなる座面を有することを特徴とする室内移動用台車。
【請求項２】
前記フレームは、パイプ部材と、前記パイプが嵌入可能なエルボ部材からなることを特徴とする、請求項１に記載の室内移動用台車。
【考案の詳細な説明】
【技術分野】
【０００１】  本考案は、歩行に障害を有する人の、室内での移動の自由度を増加するための室内移動台車に関するものである。
【背景技術】
【０００２】  怪我などの原因で、歩行に障害がある人のために、各種の車椅子が市販されている。これらの車椅子には、上半身に特に障害がない人のために調製された、自力で車輪を操作することによって移動可能なものや、電動装置などを取り付けて自走可能としたものなどがある。【０００３】  しかし、それらの殆どが、屋外や病院の廊下などの、比較的広い場所での使用を前提として製作されていて、家庭などの比較的狭い場所における使用には、必ずしも適していないものである。これに対処するために、特許文献１には室内での使用に適した移動用座椅子が、特許文献２には、室内での使用に適合させるために、全体をコンパクトに設計した車椅子が開示されている。【０００４】  しかし、これらは何れも構造が複雑であり、製造コスト低減が困難であり、普及を図るためには、改善の余地がある。
【先行技術文献】
【特許文献】
【０００５】
【特許文献１】  特開２００１−１０４３８５号公報
【特許文献２】  特開２００３−１０２７８９号公報
【考案の概要】
【考案が解決しようとする課題】
【０００６】  従って、本考案の課題は、歩行に障害を有する人が容易に操作可能で、かつ簡略な構造で、安価に製作できる室内移動手段を提供することである。
【課題を解決するための手段】
【０００７】  本考案は、汎用の資材を用いて、前記課題に対処可能な室内移動手段を得ることを検討した結果、なされたものである。【０００８】  即ち、本考案は、棒状の部材を、ほぼ箱状に組み立ててなるフレームと、前記フレームの下部に取り付けられてなるキャスターと、前記フレームの上面の取り付けられてなる座面を有することを特徴とする室内移動用台車である。【０００９】  また、本考案は、前記フレームが、パイプ部材と、前記パイプが嵌入可能なエルボ部材からなることを特徴とする、前記の室内移動用台車である。
【考案の効果】
【００１０】  本考案に係る室内移動用台車は、前記のような構造であることから、家庭や小規模事業所での使用に適した、棚などを組み立てるための資材を用いることができるため、安価に製作可能である。しかも使用者の体格や、使用する部屋の広さに応じて、寸法を適宜選択できるという利点があり、極めて有用である。
【図面の簡単な説明】
【００１１】
【図１】  本考案に係る室内移動用台車の一例を示す斜視図。
【考案を実施するための形態】
【００１２】  次に具体的な図に基づいて、本考案の実施の形態について説明する。
【００１３】  図１は、本考案に係る、室内移動用台車の一例を示す斜視図である。図１において、１は座面となる板材、１ａ、２ｂは座面の支持板、３ａは３方向の分岐を有する第一のエルボ部材、３ｂは４方向の分岐を有する第二のエルボ部材、４ａ、４ｂ、４ｃは、それぞれ長さが異なるパイプ部材、５はキャスターである。これらは、図示していないビスなどの接合手段を用いて固定するも可能である。
【００１４】  図１に示した室内移動用台車は、例えば座面の板材１として、３００ｍｍ×４５０ｍｍ×３０ｍｍ程度の寸法の、パーティクルボードや集成材を用いることができる。また、パイプ部材４ａ、４ｂ、４ｃとして、直径が４０ｍｍ程度の塩化ビニル製のパイプを用いることができる。その他の部材にも、いわゆるホームセンターで販売されている、汎用資材を適用できる。
【００１５】  従って、本考案に係る室内移動用台車は、安価に製作可能で、歩行に障害を有する人の家庭における生活改善に資するところは、大きいと言える。なお、本考案は、前記実施の形態に限定されるものではなく、例えば、介護者用のハンドルや肘掛を付加するような、本考案の分野における通常の知識を有する者であれば想到し得る、本考案の要旨を逸脱しない範囲の設計変更があっても、本考案に含まれることは勿論である。
【符号の説明】
【００１６】１                板材
１ａ，２ｂ        座面の支持板
３ａ              第一のエルボ部材
３ｂ              第二のエルボ部材
４ａ，４ｂ，４ｃ  パイプ部材
５                キャスター
【図１】
0003166914.tif 000003
【手続補正書】
【提出日】平成23年1月14日(2011.1.14)
【手続補正１】
【補正対象書類名】実用新案登録請求の範囲
【補正対象項目名】全文
【補正方法】変更
【補正の内容】
【実用新案登録請求の範囲】
【請求項１】
棒状の部材を、ほぼ箱状に組み立ててなるフレームと、前記フレームの下部に取り付けられてなるキャスターと、前記フレームの上面に取り付けられてなる座面を有することを特徴とする室内移動用台車。
【請求項２】
前記フレームは、パイプ部材と、前記パイプ部材が嵌入可能なエルボ部材からなることを特徴とする、請求項１に記載の室内移動用台車。
(57)【要約】      （修正有）【課題】研磨剤を含む内容液が効率良く研磨面に供給され、効果的かつ安定な研磨作業ができる研磨具を提供する。【解決手段】容器中央に内容液を吐出可能な穴を設けた容器頭部に、研磨体を勘合させる。研磨体は、支持層の上部に薄い含浸層を張り合わせてなる。含浸層の厚みが０．３ｍｍ以上、３ｍｍ以下であって、作業時に押圧された際にもその厚みの３０％以上を維持する。【選択図】図２
0003166918.tif 000002
【実用新案登録請求の範囲】
【請求項１】
容器中央に内容液を吐出可能な穴を設けた容器頭部に、支持層の上部に薄い含浸層を張り合わせてなる研磨体を勘合させて使用することを特徴とする研磨具
【請求項２】
含浸層の厚みが０．３ｍｍ以上、３ｍｍ以下であって、作業時に押圧された際にもその厚みの３０％以上を維持していることを特徴とする請求項１に記載の研磨具
【考案の詳細な説明】
【技術分野】
【０００１】
この考案は、研磨剤を収容する容器であって、別途作業用の布等を併用することなく、容器だけで研磨作業することが可能な研磨具に関するものである。
【背景技術】
【０００２】
研磨剤を収容する容器であって、別途作業用の布等を併用することなく、容器だけで研磨作業することが可能な研磨具に関する先行技術として、特許文献１に記載の研磨具が知られている。
【特許文献１】公開番号２００９−１０１４７７号
【考案の開示】
【考案が解決しようとする課題】
【０００３】
特許文献１に記載の研磨具では、研磨体が、多孔質構造体，不織布，フエルト，織物のいずれかの一体構造物により構成されている。このため、研磨体内部に浸み込んだ研磨剤は研磨面に適切に供給されず、研磨力が不安定となっていた。
【０００４】
この考案は、上記のような従来技術に存在する問題点に着目してなされたものである。その目的とするところは、研磨剤を含む内容液が効率良く研磨面に供給され、効果的かつ安定な研磨作業ができる研磨具を提供することにある。
【課題を解決するための手段】
【０００５】
上記の目的を達成するために、本考案で使用する研磨体は、支持層の上部に薄い含浸層を張り合わせてなる構造とする。
さらに、含浸層の厚みが０．３ｍｍ以上、３ｍｍ以下であって、作業時に押圧された際にもその厚みの３０％以上を維持できる含浸層を選択することによって、その効果を一層高めることができる。
【０００６】
本考案で使用する研磨体は、支持層の上部に薄い含浸層を張り合わせてなる構造を有している。
研磨体の含浸層は、内容液を保持する効果を有し、より微視的には内容液に含まれる研磨粒子を保持する効果を有する。そこで、まず含浸層の材質は内容液を保持する目的から、内容液の特性に応じてこれを吸蔵できる材料から選択される。例えば、内容液が水性の場合は親水性の綿等が好適であり、内容液が油性の場合は親油性のフェルト等が好適である。これ以外にも、スポンジ、紙、化学繊維、およびこれらの複合物を適宜選択できる。
また、研磨材を保持する目的から、含浸層の厚みが０．３ｍｍ以上、３ｍｍ以下であって、作業時に押圧された際にもその厚みの３０％以上を維持できる含浸層を選択することによって、その効果を一層高めることができる。より具体的には、支持層の材質に応じて、繊維の織り加工や編み加工、捲縮加工、凹凸加工、発泡加工などの方法によって、みかけの弾性を調整することにより実現することができる。
【０００７】
研磨体の支持層は、含浸層を保持する効果のみを有する。このため、支持層が含浸層の様に内容液を吸蔵することは、内容液の損失につながるため避けなければならない。また、支持層は被研磨物の湾曲に対しても適切に当接するだけの必要最小限の弾性を有することが望ましい。このような目的から、支持層に用いる材質は、発泡ゴムや発泡プラスチック製であって独立気泡構造とするのが好適である。
【考案の効果】
【０００８】
本考案で使用する研磨体は、支持層の上部に薄い含浸層を張り合わせてなる構造を有している。このため、内容液は、含浸層にのみ吸蔵され、支持層には吸蔵されない。このため効果的かつ安定な研磨作業ができる。
また、研磨材を保持する目的から、含浸層の厚みが０．３ｍｍ以上、３ｍｍ以下であって、作業時に押圧された際にもその厚みの３０％以上を維持できる含浸層を選択することによって、研磨剤の移動が抑制され被研磨物との相対速度が向上することにより、研磨効果を一層高めることができる。
【考案を実施するための最良の形態】
【０００９】
以下にこの考案を具体化した一実施形態に基づいて詳細に説明する。
【実施例１】
【００１０】
図２に示される本考案の研磨具では、ポリエステル繊維が交互に編まれた厚み１ｍｍの平布を使用した含浸層が、発泡ポリエチレン製の支持層上に接着固定されている。容器中央の穴から吐出された内容液は、発泡ポリエチレン製の支持層に吸蔵されることなく、含浸層にのみ供給される。この状態で、被研磨物に当接させ研磨作業を行ったところ、研磨作業中の含浸層の厚みは０．５ｍｍで当初の厚みの５０％であった。また、本考案ではポリエステル繊維が編まれた厚み１ｍｍの平布を含浸層として使用しているため、編み構造による表面の凹凸が存在し、その凹部に研磨剤が適切に保持されていることが確認できた。
【産業上の利用可能性】
【００１１】
研磨剤を含む内容液が効率良く研磨面に供給され、効果的かつ安定な研磨作業ができる。
【図面の簡単な説明】
【００１２】
【図１】本考案の研磨具のキャップを閉めた状態の縦断面図
【図２】本考案の研磨具の縦断面図
【図３】本考案の研磨具の正面図
【符号の説明】
【００１３】
１      キャップ
２      含浸層
３      支持層
４      本体
【図１】
0003166918.tif 000003
【図２】
0003166918.tif 000004
【図３】
0003166918.tif 000005
【手続補正書】
【提出日】平成23年1月25日(2011.1.25)
【手続補正１】
【補正対象書類名】実用新案登録請求の範囲
【補正対象項目名】請求項１
【補正方法】変更
【補正の内容】
【請求項１】
容器中央に内容液を吐出可能な穴を設けた容器頭部に、支持層の上部に薄い含浸層を張り合わせてなる研磨体を勘合させてなることを特徴とする研磨具。
(57)【要約】      （修正有）【課題】流れの速い河川において、水深を測るのに適した形状を有するスタッフを提供する。【解決手段】スタッフ本体は、伸縮可能なもので伸縮止めボタン４により伸縮が固定される。重量は軽量材を使用した軽いものであるが、長尺に伸ばした場合にも、水流抵抗力に充分耐えられる強度を有しているものである。また、スタッフの形状は、上流側は球形で下流側は、厚みが薄く絞られている。スタッフ下部には、着脱可能な尾鰭２が付いた魚形である。また、スタッフの水流上流側を球形にすることにより、水流抵抗力が軽減されると伴に、尾鰭により方向性が定まり、計測員の負担が軽くなり、安全性の向上と、作業効率が高まる。【選択図】図１
0003166920.tif 000002
【実用新案登録請求の範囲】
【請求項１】
スタッフ本体の断面形状を、魚形にしたことを特徴とするスタッフ。
【請求項２】
前記スタッフに、尾鰭を取り付けたことを特徴とする、請求項１記載のスタッフ。
【考案の詳細な説明】
【技術分野】
【０００１】  この考案は、流れの速い河川において、水深を測るスタッフの形状に関するものである。
【背景技術】
【０００２】  河川の水深を測る方法は、スタッフを水の中に立て、川底まで着底させ、水面までのメモリを読みとり、その数値をその位置の水深とする。その他、巻尺などで計る方法もあるが、水の流れがある場合は、巻尺が流され誤差が大きくなる。
水深の計測に使われるスタッフは、測量などに使われるもので、スタッフの断面形状は、図２に示すように、長方形の形状である。
【先行技術文献】
【特許文献】
【０００３】
【特許文献１】特許公開平１０−１９７２９９
【０００４】
【特許文献２】特許公開２００３−３１５０４０
【考案の概要】
【考案が解決しようとする課題】
【０００５】  しかしながら、以上の技術により、流れの速い河川において、スタッフを水の中に立て水深を測ろうとするならば、スタッフは水の流れによる抵抗を受け、流され計測不能となる。
先行技術［０００３］はスタッフを使用せず、河床のアンカーに固定されたシャフト材に、傾斜計、波高計、流速測定センサー、ばね材などを取り付け、自在継ぎ手に固着されたものである。したがって今回の考案技術とは異なる。
先行技術［０００４］は、水の流れのない海面を計測する技術で、レッドとスタッフをワイヤーで繋いだもので、今回の考案技術分野［０００１］ではない。
そこでこの考案は、水の流れが速い河川において、スタッフが押し流されようとする力を軽減するスタッフを提供することを課題とする。
【課題を解決するための手段】
【０００６】  以上の課題を解決するために、第一考案は、スタッフ断面を魚形にしたことを特徴とするスタッフである。
また、第二考案は、スタッフ下部に着脱式の尾鰭をつけたことを特徴とするスタッフである。
【考案の効果】
【０００７】  第一考案の、スタッフ断面を魚形にしたことにより、水の流れによるスタッフに加わる抵抗が少なくなり、安全性が増し、計測時間が短縮され、計測作業がたやすくなる。
また、第二考案の、スタッフ下部に尾鰭をつけることにより、方向性が増し魚形横からの流れによる抵抗が少なくなり、第一考案の効果に加えさらに、安全性が増し、計測時間が短縮される。
【図面の簡単な説明】
【０００８】  図１は、この考案の実施形態を示す全体側面図、およびその部分拡大図である。図２は、従来技術の側面図、およびその部分拡大図を示す。
【図１】この考案の実施形態示す側面図、部分拡大図である。
【図２】従来技術を示す側面図、部分拡大図である。
【考案を実施するための形態】
【０００９】  この考案の一実施形態を、図１に示す。スタッフ本体は、伸縮可能なもので伸縮止めボタン４により伸縮が固定される。重量は軽量材を使用した軽いものであるが、長尺に伸ばした場合にも、水流抵抗力に充分耐えられる強度を有しているものである。また、スタッフの形状は、図１に示す部分拡大図の断面図のとおり、上流側は球形で下流側は、厚みが薄く絞られている。スタッフ下部には、着脱可能な尾鰭２が付いた魚形である。
【００１０】「実施形態の効果」
この実施形態によれば、スタッフの水流上流側を球形にすることにより、水流抵抗力が軽減されると伴に、尾鰭により方向性が定まり、計測員の負担が軽くなり、安全性の向上と、作業効率が高まる。
「他の実施形態」
図１の実施形態では、尾鰭がスタッフ下部に一箇所の取付であるが、複数の尾鰭を取り付けることにより、方向性はさらに増す。また、尾鰭の長さを変えることにより、その効果は比例して方向性が増す。
【符号の説明】
【００１１】１  魚形スタッフ本体      ２  尾鰭
３  目盛り      ４  伸縮止めボタン
【図１】
0003166920.tif 000003
【図２】
0003166920.tif 000004
(57)【要約】      （修正有）【課題】点眼補助具と目薬容器を一体化した補助具つき目薬容器を提供する。【解決手段】目薬容器の差し口面の両端に半円状の支柱を設け、支柱の内側には、上下できるストッパーつき補助具を組み合わせる、補助具は顔面の目頭部と目尻部に接触させて点眼するようにした。目薬容器に点眼補助具が一体化されているので、携帯にも便利である。また点眼の時は、好みによって補助具の高さが調整でき、手元がぶれないので、確実に無駄なく目薬を滴下することができる。【選択図】図１
0003166312.tif 000002
【実用新案登録請求の範囲】
【請求項１】
目薬容器の差し口の両端を凹形とし、突状の内側には、上下できる指先形状のストッパーつき補助具を組み合わせ、補助具は目頭部と目尻部に接触させて点眼、蓋の内側に差し口のキャップを取り付けたのを特徴とする点眼補助具つき目薬容器。
【考案の詳細な説明】
【技術分野】
【０００１】  本考案は点眼補助具の機能つき目薬容器に関するものである。
【背景技術】
【０００２】  目薬は、いざ点眼しょうとしても、目薬容器を持った手が安定せず、睫に当たったり、瞳の外に滴下させることがよくあった。
【先行技術文献】
【特許文献】
【０００３】  点眼がしやすいように、目の部分を覆う楕円形状の補助具で、上部に目薬をセットする（例えば特許文献１）もの、着脱できるＵ字形の補助具を目頭部分に当てて点眼する（例えば特許文献２）ものなどある。【０００４】
【特許文献１】特許公開２００２−３６０６６０
【特許文献２】特許公開２００４−３２９６０２
【考案の概要】
【考案が解決しようとする課題】
【０００５】  しかし携帯には嵩張るとか、使い勝手の良さなどに難点があった。
本考案は、以上の問題点を解決するためのものである。
【課題を解決するための手段】
【０００６】  目薬容器の差し口の両端を凹形とし、突状の内側には上下できる指先形状のストッパーつき補助具を組み合わせ、補助具は顔面の目頭部と目尻部に接触させて点眼する。
蓋の内側に差し口のキャップを取り付けたのを特徴とする点眼補助具つき目薬容器である。
【考案の効果】
【０００７】  目薬容器に点眼補助具が一体化されているので、携帯にも便利である。また点眼の時は、好みによって補助具の高さが調整でき、手元がぶれないので、確実に無駄なく目薬を滴下することができる。
【図面の簡単な説明】
【０００８】
【図１】  本考案の斜視図
【図２】  本考案補助具部分の拡大図
【図３】  本考案の蓋の底面図
【図４】  本考案の目薬容器の平面図
【考案を実施するための形態】
【０００９】  目薬容器１の差し口２の両端を凹形とし、突状３内側には、溝４と上下できる指先形状のストッパーつき５補助具６を組み合わせる。自在に高さを調整できるので、個人の好みで高低の点眼位置を選択することができる。
目薬の補助具部分は、顔面の目頭部と目尻部に接触させて安定できるので、目薬容器がぶれることなく、心地よく点眼することができる。
蓋の内側に差し口のキャップ７を取り付けたのを特徴とする点眼補助具つき目薬容器である。
【符号の説明】
【００１０】１    目薬容器
２    差し口
３    突状
４    溝
５    ストッパー
６    補助具
７    キャップ
【図１】
0003166312.tif 000003
【図２】
0003166312.tif 000004
【図３】
0003166312.tif 000005
【図４】
0003166312.tif 000006
【手続補正書】
【提出日】平成22年11月18日(2010.11.18)
【手続補正１】
【補正対象書類名】実用新案登録請求の範囲
【補正対象項目名】全文
【補正方法】変更
【補正の内容】
【実用新案登録請求の範囲】
【請求項１】
目薬容器の差し口面の両端に半円状の支柱を設け、支柱の内側には、上下できる指先形状のストッパーつき補助具を組み合わせ、補助具は目頭部と目尻部に接触させて点眼、蓋の内側に差し口のキャップを取り付けたのを特徴とする点眼補助具つき目薬容器。
【手続補正２】
【補正対象書類名】明細書
【補正対象項目名】０００６
【補正方法】変更
【補正の内容】
【０００６】  目薬容器の差し口面の両端に半円状の支柱を設け、支柱の内側には、上下できる指先形状のストッパーつき補助具を組み合わせ、補助具は目頭部と目尻部に接触させて点眼、蓋の内側に差し口のキャップを取り付けたのを特徴とする点眼補助具つき目薬容器である。
(57)【要約】      （修正有）【課題】両手でふさがっていて使えない時でも瞬時に手間をかけずに汗を拭ける汗拭きを提供する。【解決手段】布を筒状にして、シャーリングすることによって、腕をしめつけずに、安定させることが出来る。片腕又は両腕に通すだけでいいので、使用するにあたっては全く簡単であり、幼児でも小学生、老人でも又スポーツする時もあらゆる人達が、いつでも汗を拭き取ることが出来る。ウォーキングの時、草取りの時、運動会の時、建築関係者、塗装関係者と両手を使わずに汗を拭き取ることが出来る物である。【選択図】図４
0003166313.tif 000002
【実用新案登録請求の範囲】
【請求項１】
本考案の汗拭きは、手を使わなくても汗が拭ける汗拭きである。
吸収性の高い布地である、おしゃれな高校生、ＯＬにはテンセルが似合う。
小学生、中学生には、ビビットなレインボーカラーのパイル地、そして建築関係者、スポーツマンには、カラーのタオル地、等。
これらの布地を筒状にして、腕に通して使う汗拭きである、シャーリングすることでズレ落ちしないこと、その上あのイヤなしめつけ感もなく気持よく腕に安定するので両腕にもつけられるしまた片腕に２つつけての使用も可能である。
つまり、腕に通して使うので、両手がふさがっている時でも、流れてくる汗を手を使うことなく拭き取れることが出来る汗拭である、使いやすく、大変に便利な汗拭きである
【請求項２】
請求項１で説明した手を使わずに汗を拭き取ることが出来る、この汗拭きは、布地を２枚重ねするので、リバーシブルに使用出来るものである。
腕に安定していて、しめつけ感がないので少しづつ回わして使用出来る、その上にリバーシブル使えるので大変に経済的である汗拭きでもある。
【請求項３】
請求項１、請求項２、で説明したこの両手使わずに汗が拭ける、汗拭は、使う立場からは、使いやすく、便利でしかも経済的という長所があるが、それだけではなく、産業上の利用可能性の面から見ても大きな長所がある。
その１、本考案は一部の人々を対象とした物ではないこと。
あらゆる人々が利用できる物であること。
小学生から、中学生、高校生、大人、女性も男性も老人も、その上、建築関係者、部活の時、ジョギングする時、スポーツマン、買物で手がふさがっている女性がと限りない程の対象者がいること。
その２、本考案を製造するのに、工程が大変に簡単であること
その３、簡単に商品化出来るのに同じ工程で、２タイプの商品となる、ＡとＢ、汗拭きであることは共通であるが、Ａは高校生、ＯＬも使える様なおしゃれ感覚の汗拭きである、Ｂはいつも仕事上大汗をかいている建築関係者とか選挙活動をする時、草取りの時、ジョギングする時、等の実用的タイプの汗拭きである。
つまり本考案の汗拭きは請求項１、請求項２、請求項３で説明した通り腕に通して使う汗拭きであるので、何んらかの理由で両手がふさがっている時でも、いつでも汗を拭きたいと思った時に手を使うことなく汗が拭ける便利で使いやすく、ズレ落ちもしない気持がハッピーになる汗拭きである
その上に経済的でもあり、産業上の利用価値の大である物である。
【考案の詳細な説明】
【技術分野】
【０００１】本考案は手を使う必要がなく腕を動かすだけで汗を拭き取ることの出来る便利で使いやすい汗拭きである。
【背景技術】
【０００２】小さな子供から学生もＯＬも主婦もそれから男性もいちいちバックからハンカチを取り出して汗を拭くことなく、腕に通しておけばいつでも、どこでも汗を拭ける
建築現場では両手がふさがっていたり、泥の手であったりする、そんな時に、流れてくる汗をＴシャツのそでで拭いているシャツの痛みも早い、草取りの時も泥の手袋をはずして汗をふいている、大変に面どうでもあるし、能率的にも悪い。
【考案の開示】
【考案が解決しようとする課題】
【０００３】実用性とファッションセンスのある、つけると楽しい気持になる物で両手がふさがっていて使えない時でも瞬時に手間をかけずに汗を拭きたいのである。
【考案が解決するための手段】
【０００４】汗を拭き取ることの出来る布で、カラふるで楽しい物、おしゃれな花柄、子供用のかわいい物、男性用の物等の布を筒状にして、シャーリングすることによって、腕をしめつけずに、安定させることが出来る。
【考案の効果】
【０００５】本考案は片腕又は両腕に通すだけでいいので、使用するにあたっては全く簡単であり、幼児でも小学生、老人でも又スポーツする時もあらゆる人達が、いつでも汗を拭き取ることが出来る物である
【産業上の利用可能性】
【０００６】１、本考案は対象者が一部というのではないこと、限りなくあらゆる立場の人々が子供も大人も女性も男性も若い人も老人も対象者であり利用出来ること。
２、腕に通して使うので簡単で使いやすく、しめつけ感もないのに腕に安定して気持よいこと。
おしゃれ感覚にも使えるし、実用的にも大いに便利で役立つこと。
３、製造する時も工程が大変に簡単であること、その上にこの同じ工程で２タイプの商品化が可能であること、おしゃれ感覚タイプと実用的タイプ。
つまり本考案の“両手使わず汗拭けるわ”は幅広くどんな人にも使えてさらに特に汗をかくことの多い人々にとっては、大変に助かり役に立つ物で日常日々欠かせい汗拭きである、ので産業上の利用は当然と“大”であると言える汗ふきである。
【図面の簡単な説明】
【０００７】
【図１】長方形の１枚の布の両端を出来る限り厚くならないようにして内側に折って縫い
【図２】二等分にして折り半分の長方形とする
【図３】この長方形の布にシャーリングを入れて縫う５〜７本ぐらい。
【図４】次にこのシャーリングした布を筒状にかヾる、ゴツゴツしない様にすることが使いやすくもあり、おしゃれである。布を二枚重ねしてあるのでリバーシブルにも使うことが可能である。
【図１】
0003166313.tif 000003
【図２】
0003166313.tif 000004
【図３】
0003166313.tif 000005
【図４】
0003166313.tif 000006
【手続補正書】
【提出日】平成22年12月6日(2010.12.6)
【手続補正１】
【補正対象書類名】実用新案登録請求の範囲
【補正対象項目名】全文
【補正方法】変更
【補正の内容】
【実用新案登録請求の範囲】
【請求項１】
長手方向に２つに折った長方形の布の長手方向の端部同士を接続して成る筒状の汗拭きであって、円周方向に５〜７本シャーリングを設けた筒状の汗拭き。
(57)【要約】      （修正有）【課題】パイプ立て作業の軽減と灯篭立てのパイプ上面の変形防止ができることにより、灯篭の抜き差しが簡単に行われる。また溶融亜鉛メッキの鉄パイプを使用することにより、プレス加工で、均一で大量生産が可能な灯篭立てパイプセットを安価に提供する。【解決手段】端面をプレス機械などで円錐状に絞ったパイプのもう一方の単面にパイプ変形防止ソケット１を差し込みそのパイプ変形防止ソケットをハンマー３などで叩く事で灯篭立てパイプを変形させずに土中に埋め込み灯篭を差し込むことができる。また、毎年繰り返していた盆灯篭立て作業は、灯篭立てパイプ２を土中に残して置くため、必要でなくなる。【選択図】図３
0003166311.tif 000002
【実用新案登録請求の範囲】
【請求項１】
（１）お盆の灯篭たて作業の際、溶融亜鉛メッキ仕様Φ２１．７ｍｍｘ１．９ｔｘ６０ｍｍの長さのパイプをプレス金型を用いプレス機械で単面を広げ、つば（１−ａ）を作ったパイプ変形防止ソケット（１）の、つば面（１−ａ）を上にして、溶融亜鉛メッキ仕様Φ２７．２ｍｍｘ１．９ｔｘ２５０ｍｍの長さのパイプをプレス金型を用いプレス機械で単面を円錐状に絞り、テーパー（２−ａ）を付けた、灯篭立てパイプ（２）の上部（３）に差し込み，下部の円錐部分（２−ａ）を地面に立て、パイプ変形防止用ソケット（１）の、つば面（１−ａ）をハンマー（３）で叩く事により灯篭立てパイプの上部（２−ｂ）を変形させることなく地中に埋めることができる灯篭立てパイプセット。
【考案の詳細な説明】
【技術分野】
【０００１】  この考案は、一方の先端を絞ったパイプを土に向けもう一方の端にパイプ変形防止ソケットを差し込みそのソケットをハンマーなどで叩く事により灯篭立てパイプを変形させずに土中に埋め込むことが出来る
【背景技術】
【０００２】  お盆に慣例となっている先祖の供養のため墓所に灯篭を立てる風習がある。灯篭の上部先端に逆さ四角錐の竹ひごに障子紙を張り合わせその下に篠竹（Φ１５ｍｍぐらいで長さ１５０ｃｍ）を取り付けた製品で墓所の土に立てる。しかしお盆の暑い最中、土地も固くなり灯篭の先端が埋まり難い状況である。ハンマーなどで灯篭を立てるパイプを直に叩くとパイプが変形し灯篭が挿せなくなるため、土をスコップなどで掘り起こし立てているのが現状である。
【考案の概要】
【考案が解決しようとする課題】
【０００３】  毎年繰り返しているお盆の灯篭立て作業のたび、スコップなどで土を掘り起こしていたが、灯篭立てパイプセットを使用し、ハンマーなどで叩く事により簡単に土に立てることができ来年以降その作業をしなくて済むようになる。
【課題を解決するための手段】
【０００４】  この課題を解決するための手段として、端面をプレス機械などで円錐状に絞ったパイプのもう一方の単面にパイプ変形防止ソケットを差し込みそのパイプ変形防止ソケットをハンマーなどで叩く事で灯篭立てパイプを変形させずに土中に埋め込むことが出来る。
【考案の効果】  この考案の効果として、灯篭を立てるのにスコップなどで土を掘り起こしていた作業が軽減され、灯篭立てパイプが土中に残るため、毎年繰り返していた作業が必要でなくなる。
【図面の簡単な説明】
【０００５】
【図１】この考案の１実施例を示したパイプ変形ソケット、（Ａ）は平面図で、（Ｂ）は正面図である。
【図２】この考案の一実施例を示した灯篭立てパイプ、（Ａ）は正面図で、（Ｂ）は正面図ある。
【図３】この考案の使用例を示し、全体作業姿勢を示す正面図である。
【考案を実施する為の最良の形態】
【０００６】この考案の最良の形態として、安全性・操作性・耐久性を考慮し、灯篭の形状に応じた寸法形状・材質を選定する事が重要である。
【実施例】
【０００７】  そこで、この考案の一実施例を図１〜図２に基づいて詳述すると、お盆の灯篭たて作業の際、パイプ変形防止ソケット（１）の、つば面（１−ａ）を上にして、灯篭立てパイプ（２）の上部（３）に差し込み，下部の円錐部分（２−ａ）を地面に立てパイプ変形防止用ソケット（１）の、つば面（１−ａ）をハンマー（３）で叩く事により灯篭立てパイプの上部（２−ｂ）を変形させることなく地中に埋めることができる。【０００７】この考案の構造について説明すると、図（１）に示すように、パイプ変形防止ソケット（１）は溶融亜鉛メッキ仕様Φ２１．７ｍｍｘ１．９ｔｘ３０ｍｍの長さのパイプをプレス金型を用いプレス機械で単面を広げ、つば（１−ａ）を作る。【００８】灯篭立てパイプ（２）は溶融亜鉛メッキ仕様Φ２７．２ｍｍｘ１．９ｔｘ２５０ｍｍの長さのパイプをプレス金型を用いプレス機械で単面を円錐状に絞り、テーパー（２−ａ）を付けることにより地面により抵抗が少なく埋め込む事ができる。
【産業上の利用可能】
【００９】  この考案の灯篭たてパイプは地面にハンマーなどで打ち込む際、パイプの上部が変形しにくく、プレス加工により安価である為、灯篭に限らず、抜き差しが必要なポールなどパイプの大きさを変えることにより用途も多様である。
【符号の説明】
【０１０】１      パイプ変形防止ソケット
１−ａ  つば面
２      灯篭立てパイプ
２−ａ  テーパー
２−ｂ  灯篭立てパイプ上部
３      ハンマー
【図１】
0003166311.tif 000003
【図２】
0003166311.tif 000004
【図３】
0003166311.tif 000005
【図４】
0003166311.tif 000006
【手続補正書】
【提出日】平成22年11月18日(2010.11.18)
【手続補正１】
【補正対象書類名】実用新案登録請求の範囲
【補正対象項目名】全文
【補正方法】変更
【補正の内容】
【実用新案登録請求の範囲】
【請求項１】
お盆の灯篭たて作業の際、溶融亜鉛メッキ仕様Φ２１．７ｍｍｘ１．９ｔｘ６０ｍｍの長さのパイプをプレス金型を用いプレス機械で端面を広げ、つば面（１−ａ）を作ったパイプ変形防止ソケット（１）の、つば面（１−ａ）を上にして、溶融亜鉛メッキ仕様Φ２７．２ｍｍｘ１．９ｔｘ２５０ｍｍの長さのパイプをプレス金型を用いプレス機械で端面を円錐状に絞り、テーパー（２−ａ）を付けた、灯篭立てパイプ（２）の上部（２−ｂ）に差し込み，下部のテーパー（２−ａ）を地面に立て、パイプ変形防止用ソケット（１）の、つば面（１−ａ）をハンマー（３）で叩く事により灯篭立てパイプの上部（２−ｂ）を変形させることなく地中に埋めることができる灯篭立てパイプセット。
【手続補正２】
【補正対象書類名】明細書
【補正対象項目名】０００５
【補正方法】変更
【補正の内容】
【０００５】
【図１】この考案の１実施例を示したパイプ変形ソケット、（Ａ）は平面図で、（Ｂ）は正面図である。
【図２】この考案の一実施例を示した灯篭立てパイプ、（Ａ）は正面図で、（Ｂ）は正面図ある。
【図３】この考案の使用例を示し、全体作業姿勢を示す正面図である。
【図４】この考案の使用例を示すイメージ図である。